(57)【要約】【課題】顔などの皮膚に生じたしわのさらなる進行をとめる。しわのあらたな発生を防止する。【解決手段】短冊形の板ばねの両端部に薄肉部を介して折り曲げ片を形成し、その折り曲げ片の片面に剥離紙で保護した粘着層を設けてなる、しわ伸ばし・予防具。【選択図】図７
2005118520.tif 000002
【特許請求の範囲】
【請求項１】
左右一対の板体と、左端部を左板体の裏面に、右端部を右板体の裏面に、それぞれ取り付けた板ばね部材と、前記左板体と右板体の表面にそれぞれ設けた粘着層と、両粘着層を保護する剥離紙とよりなる、しわ伸ばし・予防具。
【請求項２】
前記板ばね部材の左端部と右端部は、薄肉部を介して、それぞれ左板体と右板体に取り付けられている請求項１記載のしわ伸ばし・予防具。
【請求項３】
短冊形の板ばねの両面部に、薄肉部を介して折り曲げ片を形成し、その折り曲げ片の片面に剥離紙で保護した粘着層を設けてなる、しわ伸ばし・予防具。
【発明の詳細な説明】
【技術分野】
【０００１】この発明は、主に顔の皮膚に生じたしわ（皺）を伸ばしたり、しわが生じないようにするために使用する、しわ伸ばし・予防具に関するものである。
【背景技術】
【０００２】従来のこの種の用具としては、シート本体の片面に粘着層を設け、これを剥離紙で保護した粘着シートが知られている。【０００３】このシートは、例えば、眉間のしわを伸ばす場合には、しわを伸ばした状態で同部位に粘着層で貼り付けている。また、しわが生じていない場合は、予防のために、眉間に貼り付けている。【０００４】しかし、この粘着シートは、使用状態においては、皮膚を粘着層によってシート本体に拘束することになるので、シート本体が湾曲したり、粘着層の粘性が小さいと、シート本体による皮膚の拘束力が弱くなる。その結果、伸ばしたしわが復元したり、しわができ易くなる。
【発明の開示】
【発明が解決しようとする課題】
【０００５】この発明の課題は、しわのある皮膚は、その部位を引き伸ばした状態に保持してしわがさらに進行しないようにすること、しわの生じ易い部位の皮膚は、その部位を引き伸ばした状態に保持してしわができないようにすること、にある。
【課題を解決するための手段】
【０００６】この発明が、上記課題を解決するために提供する、しわ伸ばし・予防具は、次の（１）〜（３）に記載のものである。
（１）左右一対の板体と、左端部を左板体の裏面に、右端部を右板体の裏面に、それぞれ取り付けた板ばね部材と、前記左板体と右板体の表面にそれぞれ設けた粘着層と、両粘着層を保護する剥離紙とよりなる、しわ伸ばし・予防具（以下、第１の用具という）。
（２）第１の用具における板ばね部材の左端部と右端部が、薄肉部を介して、それぞれ左板体と右板体に取り付けられている、しわ伸ばし・予防具（以下、第２の用具という）。
（３）短冊形の板ばねの両端部に、薄肉部を介して折り曲げ片を形成し、その折り曲げ片の片面に剥離紙で保護した粘着層を設けてなる、しわ伸ばし・予防具（以下、第３の用具という）。
（３）短冊形の板ばねの両端部に肉薄部を介して折り曲げ片を形成し、その折り曲げ片の片面に剥離紙で保護した粘着層を設けてなる、しわ伸ばし・予防具（以下３の用具という）。
【発明の効果】
【０００７】（１）第１の用具と第２の用具は、板ばね部材を湾曲させて左右の板体を、その粘着層において、しわの両側またはしわの生じ易い部位の両側の皮膚に貼り付けると、皮膚は板ばね部材の復元力で引き伸ばされた状態で長時間保持されるので、しわのさらなる進行を止めることができ、しわのあらたな発生を防止できる。
（２）第３の用具は、板ばねを湾曲させて左右の折り曲げ片を、その粘着層において、しわの両側またはしわの生じ易い部位の両側の皮膚に貼り付けると、皮膚は板ばねの復元力で引き伸ばされた状態で長時間保持されるので、しわのさらなる進行を止めることができ、しわのあらたな発生を防止できる。
【発明を実施するための最良の形態】
【０００８】以下、この発明を実施するための最良の形態を実施例によって説明する。
【実施例１】
【０００９】図１〜３は、第１の用具の実施例である。図１はその平面図、図２はその側面図、図３は図２の要部拡大図である。【００１０】図において、１、２は左右一対の板体、３は板ばね部材である。板ばね部材３の左、右端部は、それぞれ左板体１と右板体２の裏面に取り付けられている。取り付け位置は、左右の板体１、２の内側から１／３の部位である。【００１１】左、右の板体１、２と板ばね部材３は、この実施例では、合成樹脂で一体成形されている。板ばね部材３は、文字通りの板ばねとしての機能を有している。なお、上記板体１、２と板ばね部材３は、ステンレス・スティール等の金属製のばね材料で作ることもできる。【００１２】４は左、右の板体１、２の表面に設けた粘着層で、５はこれを保護する剥離紙である。【００１３】実施例１のしわ伸ばし・予防具は、上述のような構成となっているので、例えば、図４のように、顔の眉間のしわＳのさらなる進行を止めたいときは、板ばね部材３を湾曲させて、左右板体１、２を、粘着層４において、しわの両側の皮膚にまゆげの上から貼りつける。【００１４】このようにすると、しわＳは板ばね部材の復元力で引き伸ばされ、そのままの状態で長時間保持される。その結果、しわのさらなる進行は止められる。【００１５】眉間にしわＳが生じないようにしたいときは、上述したところと同じように、しわ伸ばし・予防具を取り付ける。このようにすると、同様の作用で、しわはよりにくくなり、眉間にしわが発生しにくくなる。
【実施例２】
【００１６】図５は、第２の用具の実施例で、実施例１における板ばね部材３の板体１、２との接合部を薄肉部（薄肉ヒンジ）６とした例である。【００１７】このようにすると、板体１、２の薄肉部６での折り曲げが容易になり、板ばね部材３の湾曲時の板体１、２にたいする負荷が小さくなる。
【実施例３】
【００１８】図６及び図７は、第３の用具の実施例である。図６はその平面図、図７はその側面図である。【００１９】この実施例のしわ伸ばし・予防具は、合成樹脂で、図６、７に示すように、板ばね１１の両端部に、薄肉部（薄肉ヒンジ）１２を介して折り曲げ片１３、１４を形成し、その折り曲げ片１３、１４の片面に剥離紙１５、１６で保護した粘着層１７、１８を設けて作ったものである。【００２０】このしわ伸ばし・予防具は、例えば、図４に示す顔の眉間のしわＳを伸ばして、その進行を止めたいとき、また、しわＳが生じないようにしたいときは、板ばね１１を湾曲させて、折り曲げ片１３、１４を、その粘着層において、しわＳの両側の皮膚にまゆげの上から貼り付ける。このときのしわ伸ばし・予防具の作用は、実施例１のそれと本質的に同じである。
【図面の簡単な説明】
【００２１】
【図１】実施例１のしわ伸ばし・予防具の平面図
【図２】図１の側面図
【図３】図２の要部拡大図
【図４】実施例のしわ伸ばし・予防具の使用状態を示す側面図
【図５】実施例２のしわ伸ばし・予防具の要部拡大図
【図６】実施例３のしわ伸ばし・予防具の平面図
【図７】図６の側面図
【符号の説明】
【００２２】１    左板体
２    右板体
３    板ばね部材
４    粘着層
５    剥離紙
Ｓ    しわ
６    薄肉部
１１  板ばね
１２  薄肉部
１３、１４    折り曲げ片
１５、１６    剥離紙
１７、１８    粘着層
【図１】
2005118520.tif 000003
【図２】
2005118520.tif 000004
【図３】
2005118520.tif 000005
【図４】
2005118520.tif 000006
【図５】
2005118520.tif 000007
【図６】
2005118520.tif 000008
【図７】
2005118520.tif 000009